(57)【特許請求の範囲】
【請求項１】
遠隔診療を支援するサーバであって、
患者端末と第一の医師側端末との間で遠隔での診察のための通信を行う通信部と、
前記診察において薬の処方がある場合に、前記サーバに処方箋画像データをアップロードするための位置情報であり、前記診察に係る診察識別情報に関連付けられた位置情報を二次元コード化する二次元コード生成部と、
前記二次元コードを前記第一の医師側端末に提示する二次元コード提示部と、
二次元コード読取機能を備える第二の医師側端末から処方箋画像データを受け付け、前記診察に係る前記診察識別情報に紐づけて前記処方箋画像データを記憶部に格納する画像データ受付部を備える、サーバ。
【請求項２】
受け付けた前記処方箋画像データを補正処理する画像データ編集部をさらに備えることを特徴とする、請求項１に記載のサーバ。
【請求項３】
前記記憶部から前記診察識別情報に紐づけて格納された前記診察に係る患者情報及び診察情報とを読み出し、
前記処方箋画像データと合わせて共有情報を生成し、
前記共有情報を選択された薬局へ送信する情報共有部をさらに備えることを特徴とする、請求項１または２に記載のサーバ。
【請求項４】
前記診察情報は、診察日時及び疾患名の少なくともいずれかを含む、請求項３に記載のサーバ。
【請求項５】
前記位置情報は前記サーバのＵＲＬである、請求項１〜４のいずれかに記載のサーバ。
【請求項６】
前記二次元コード提示部は、所定期間経過後に提示した前記二次元コードを無効化することを特徴とする、請求項１〜５のいずれかに記載のサーバ。
【請求項７】
前記患者若しくは前記医師について登録された情報に基づいて、複数の薬局情報が格納された薬局情報記憶部から所定数の薬局を選択して提示する薬局情報提示部をさらに備える、請求項３又は４に記載のサーバ。
【請求項８】
選択された前記薬局の住所を集荷先情報とし、
前記患者の受取希望住所を配送先情報として含む配送依頼情報を作成する配送依頼部をさらに有する、請求項３又は４に記載のサーバ。
【請求項９】
前記通信部は、選択された前記薬局の端末と、前記患者端末との間で服薬指導のための通信を接続する、請求項３又は４に記載のサーバ。
【発明の詳細な説明】
【技術分野】
【０００１】
本発明は遠隔診療を支援するサーバに関する。
【背景技術】
【０００２】
医師端末と患者端末との間でテレビ電話などの通信を行い、遠隔診療を行うことのできる遠隔診療支援システムが提案されている。
【０００３】
特許文献１には、医師と患者との間で遠隔診療の予約手段やビデオ通話手段を提供する情報処理装置が開示されている。
【先行技術文献】
【特許文献】
【０００４】
【特許文献１】特許第６５７４３９１号公報
【発明の概要】
【発明が解決しようとする課題】
【０００５】
感染症が流行している場合や、体調が悪いとき、また、継続的な処方を受けている場合は、医師との診察をオンラインで行うだけではなく、家から出ることなく速やかに薬を受け取りたい場合がある。
【０００６】
そこで、本発明は、遠隔診療を支援するサーバであって、医療機関から薬局への処方箋の共有、及び患者の薬の受取のプロセスをスムーズに行うことのできるサーバを提供することを一つの目的とする。特に、医師が遠隔診療システムを導入している端末とは別の、ネットワークの遮断された端末で運用される電子カルテシステムにおいて処方箋を作成する場合に有用である。
【課題を解決するための手段】
【０００７】
本発明によれば、遠隔診療を支援するサーバであって、患者端末と第一の医師側端末との間で通信を行う通信部と、前記サーバに処方箋画像データをアップロードするための位置情報を二次元コード化する二次元コード生成部と、前記二次元コードを前記第一の医師側端末に提示する二次元コード提示部とを備える、サーバが得られる。
【発明の効果】
【０００８】
本発明によれば、医療機関から薬局への処方箋の共有、及び患者の薬の受取のプロセスをスムーズに行うことができる。
【図面の簡単な説明】
【０００９】
【図１】本発明の実施の形態によるシステムの構成例を示す図である。
【図２】サーバ１のハードウェア構成例を示す図である。
【図３】サーバ１のソフトウェア構成例を示す図である。
【図４】患者情報記憶部１１１に記憶される情報の構成例である。
【図５】医師情報記憶部１１２に記憶される情報の構成例である。
【図６】薬局情報記憶部１１３に記憶される情報の構成例である。
【図７】診察情報記憶部１１４に記憶される情報の構成例である。
【図８】サーバ１により実行される処理について説明する図である。
【図９】処方箋送付先を決定する画面の一例である。
【図１０】二次元コードを表示する画面の一例である。
【図１１】第二の医師側端末の画面表示例である。
【図１２】アップロードされた処方箋画像の表示例である。
【図１３】薬局側端末の画面表示例である。
【図１４】薬局側端末の画面表示例である。
【図１５】薬局側端末の画面表示例である。
【発明を実施するための形態】
【００１０】
本発明の実施形態の内容を列記して説明する。本発明は、以下のような構成を備える。
［項目１］
遠隔診療を支援するサーバであって、
患者端末と第一の医師側端末との間で通信を行う通信部と、
前記サーバに処方箋画像データをアップロードするための位置情報を二次元コード化する二次元コード生成部と、
前記二次元コードを前記第一の医師側端末に提示する二次元コード提示部とを備える、サーバ。
［項目２］
二次元コード読取機能を備える第二の医師側端末から処方箋画像データを受け付ける画像データ受付部をさらに備える、項目１に記載のサーバ。
［項目３］
前記位置情報は前記サーバのＵＲＬである、項目１または２に記載のサーバ。
［項目４］
前記位置情報は、特定の診察識別情報に関連付けられている、項目１〜３のいずれかに記載のサーバ。
［項目５］
前記位置情報は、現在通信が実行されている診察に係る診察識別情報に関連付けられている、項目１〜４のいずれかに記載のサーバ。
［項目６］
前記二次元コード提示部は、所定期間経過後に提示した前記二次元コードを無効化することを特徴とする、項目１〜５のいずれかに記載のサーバ。
［項目７］
少なくとも前記患者端末及び前記第一の医師側端末のいずれかに、複数の薬局の情報を提示する薬局情報提示部と、
前記患者端末若しくは前記第一の医師側端末によって選択された薬局の宛先情報を取得し、前記宛先に、前記処方箋画像データを送信するための処理を行う情報共有部をさらに備える、項目１〜６のいずれかに記載のサーバ。
［項目８］
前記情報共有部は、前記処方箋画像データとともに、前記患者の情報を送信する、項目７に記載のサーバ。
［項目９］
前記薬局情報提示部は、前記患者若しくは前記医師について登録された情報に基づいて、複数の薬局情報が格納された薬局情報記憶部から所定数の薬局を選択して提示する、項目７又は８に記載のサーバ。
［項目１０］
選択された前記薬局の住所を集荷先情報とし、
前記患者の受取希望住所を配送先情報として含む配送依頼情報を作成する配送依頼部をさらに有する、項目１〜９のいずれかに記載のサーバ。
［項目１１］
前記通信部は、選択された前記薬局の端末と、前記患者端末との間で通信を接続する、項目７に記載のサーバ。
【００１１】
＜実施の形態の詳細＞
以下、本発明の実施の形態について、図面を参照しながら説明する。
【００１２】
＜概要＞
図１は、本発明の実施の形態による遠隔診療システムの概略を説明する図である。図示のように、遠隔診療システムは、患者端末２、医師側端末３、４、薬局側端末５、及び各端末がネットワークであるインターネット網を介して接続されるサーバ１を備える。医師側端末は第一の医師側端末３及び第二の医師側端末４が存在してもよい。また、患者端末２、医師側端末３、４、及び薬局側端末５は、それぞれ複数のユーザの端末が接続されうる。
【００１３】
本発明の実施の形態による遠隔診療システムは、医療機関において院内サーバで運用されるオンプレミス型の電子カルテシステムが使用されている場合に特に有用である。すなわち、電子カルテシステムはデータ保護の観点から外部ネットワークと遮断されているケースが多い。医師は、本発明のシステムにより遠隔診療を行いながら、別端末で起動する電子カルテシステムにカルテ情報を入力し、処方箋も当該電子カルテシステム上で作成する必要がある。しかしながら、電子カルテシステム上で作成した処方箋は、患者や薬局に対して直接共有することができない。そこで、本発明は、紙で印刷された処方箋の原本を簡便に画像で取り込み、患者や薬局と共有することができるものである。
【００１４】
患者端末２、医師側端末３、４、薬局側端末５は、本実施の形態では、携帯型情報端末であるスマートフォン、パーソナルコンピュータやタブレット型端末といったインターネット網に接続可能な機器である。特に、第一の医師側端末３は、多くの場合パーソナルコンピュータであり、第二の医師側端末４は、カメラ機能及び二次元コード読取機能付きの端末であり、例えばスマートフォンなどの携帯端末である。
【００１５】
図２は、サーバ１の構成の概略を説明する図である。図示のように、サーバ１は、制御部１０、メモリ１１、ストレージ１２、送受信部１３、及び入出力部１４を主要構成として備え、これらが互いにバス１５を介して電気的に接続される。
【００１６】
制御部１０は、サーバ１の動作を制御し、各要素間におけるデータの送受信の制御や、アプリケーションプログラムの実行に必要な処理等を行う演算装置である。
【００１７】
この制御部１０は、本実施の形態では例えばＣＰＵ（Ｃｅｎｔｒａｌ  Ｐｒｏｃｅ
ｓｓｉｎｇ  Ｕｎｉｔ）であり、後述するストレージ１２に格納されてメモリ１１に展開されたアプリケーションプログラムを実行して各処理を行う。
【００１８】
メモリ１１は、ＤＲＡＭ（Ｄｙｎａｍｉｃ  Ｒａｎｄｏｍ  Ａｃｃｅｓｓ  Ｍｅｍｏｒｙ）等の揮発性記憶装置で構成される主記憶装置、及びフラッシュメモリやＨＤＤ（Ｈａｒｄ  Ｄｉｓｃ  Ｄｒｉｖｅ）等の不揮発性記憶装置で構成される補助記憶装置を備える。
【００１９】
このメモリ１１は、制御部１０の作業領域として使用される一方、コンピュータの起動時に実行されるＢＩＯＳ（Ｂａｓｉｃ  Ｉｎｐｕｔ／Ｏｕｔｐｕｔ  Ｓｙｓｔｅ
ｍ）、及び各種の設定情報等が格納される。
【００２０】
ストレージ１２は、プログラムや各種の処理に用いられるデータ等が格納されている。
このストレージ１２に格納されるプログラム等の詳細については、後述する。なお、ストレージ１２は、クラウドコンピューティング技術を利用して利用可能に接続されていてもよい。
【００２１】
送受信部１３は、サーバ１をインターネット網に接続する。この送受信部１３は、Ｂｌｕｅｔｏｏｔｈ（登録商標）やＢＬＥ（Ｂｌｕｅｔｏｏｔｈ  Ｌｏｗ  Ｅｎｅｒｇｙ）といった近距離通信インターフェースを具備するものであってもよい。
【００２２】
入出力部１４には、必要に応じて、キーボードやマウスといった情報入力機器やディスプレイ等の出力機器が接続される。
【００２３】
バス１５は、接続した制御部１０、メモリ１１、ストレージ１２、送受信部１３及び入出力部１４の間において、例えばアドレス信号、データ信号及び各種の制御信号を伝
達する。
【００２４】
図３は、本発明の実施の形態におけるサーバ１のソフトウェア構成例を示す図である。
本発明のサーバ１は、通信部１２０、二次元コード生成部１２１、二次元コード提示部１２２、画像データ受付部１２３、画像データ編集部１２４、薬局情報提供部１２５、情報共有部１２６、配送依頼部１２７、表示部１２８、決済部１２９、予約管理部１３０、問診部１３１、患者情報記憶部１１１、医師情報記憶部１１２、薬局情報記憶部１１３、診察情報記憶部１１４を備える。なお、通信部１２０、二次元コード生成部１２１、二次元コード提示部１２２、画像データ受付部１２３、画像データ編集部１２４、薬局情報提供部１２５、情報共有部１２６、配送依頼部１２６、表示部１２８、決済部１２８、予約管理部１３０、問診部１３１は、サーバ１が備える制御部１０がストレージ１２に記憶されているプログラムをメモリ１１に読み出して実行することにより実現され、患者情報記憶部１１１、医師情報記憶部１１２、薬局情報記憶部１１３、診察情報記憶部１１４は、メモリ１１およびストレージ１２の少なくともいずれかにより提供される記憶領域の一部として実現される。
【００２５】
患者情報記憶部１１１は、患者の情報を記憶する。図４は、患者情報記憶部１１１に記憶される患者情報の一例である。患者情報は、患者識別情報（ＩＤ）に紐づけられて、記憶される。患者情報としては、氏名、住所、電話番号、決済手段に関する情報（クレジットカード情報等）、及び、薬の配送を希望する住所に関する情報等を含むことができる。また、患者の生年月日、性別、保険証番号、保険証画像、ログイン認証のためのパスワードなどを含んでもよい。
【００２６】
医師情報記憶部１１２は、医師の情報を記憶する。図５は、医師情報記憶部１１２に記憶される医師情報の一例である。医師情報は、医師識別情報（ＩＤ）に紐づけられて、記憶される。医師情報としては、氏名、所属する医療機関、医療機関の住所、電話番号などを含むことができる。必要に応じて、医師の専門領域（内科、外科、循環器科、皮膚科などの診療科目）、学歴や職歴などの経歴、顔写真、ログイン認証のためのパスワード、病院の写真、メッセージなどの情報を含んでもよい。
【００２７】
薬局情報記憶部１１３は、薬局の情報を記憶する。図６は、薬局情報記憶部１１３に記憶される薬局情報の一例である。薬局情報は、薬局識別番号（ＩＤ）に紐づけられて、記憶される。薬局情報としては、薬局名、住所、電話番号、ＦＡＸ番号、メールアドレス、集荷可能時間などを含むことができる。
【００２８】
診察情報記憶部１１４は、個別の診察情報を記憶する。図７は、診察情報記憶部１１４に記憶される診察情報の一例である。診察情報は、診察識別番号（ＩＤ）に紐付けられて、記憶される。診察情報は、患者ＩＤ等の患者の情報、医師ＩＤなどの医師の情報（および必要に応じて医療機関の情報）、実施日時、決済の情報（金額、支払ステータスなど）、処方箋の情報（処方箋の有無、及び処方箋画像）、問診の情報（問診の回答、問診表の画像）などを含むことができる。
【００２９】
通信部１２０は、遠隔診療を行う患者端末２と第一の医師側端末３との間、及び、遠隔服薬指導を行う患者端末２と薬局側端末５との間での通信を接続する。通信を開始するまでのフローは適宜知られた処理を採用することができる。例えば、遠隔診療の場合で説明すると、患者は、患者端末２で自身の患者ＩＤとパスワードを入力する等の処理を行うことによってサーバ１と通信する。また、医師は、医師側端末で自身の医師ＩＤとパスワードを入力するなどの処理を行うことによってサーバ１と通信する。サーバ１は、入力されたＩＤとパスワードが、患者情報記憶部１１１及び医師情報記憶部１１２に登録されたものと一致するか否かを照合し、一致する場合はログインを許可する。そして、両者のログインが完了し、通話の開始のための入力がなされた場合に、通信部１２０は両者の端末の間での通信を開始する。通信部１２０は、サーバ１を介して、両者が入力したテキストデータ、画像データ、動画データ（音声及び画像）、をリアルタイムで送受信する。遠隔服薬指導の場合も同様であってよい。
【００３０】
二次元コード生成部１２１は、医師が処方箋画像をアップロードするための二次元コードを生成する。医師は、薬を処方する場合に、電子カルテシステムで処方情報を入力して処方箋を作成し、処方箋を印刷し、紙の原本が発行される。ここで、医師は、遠隔診療中の患者に対して発行した処方箋を提示し、また薬局に共有するために、遠隔診療システムに処方箋の画像をアップロードする必要がある。
【００３１】
二次元コード生成部１２１は、画像をアップロードする先のサーバ１の位置情報を含む情報を、二次元コード化する。位置情報は、サーバ上の仮想位置情報であり、例えばＵＲＬである。ＵＲＬなどの情報を二次元コード化する方法は、既知の手段を用いればよい。二次元コードに含まれる情報は、実行中の診察ＩＤとのリレーションを持っていることが望ましく、当該診察ＩＤに係る情報を格納する場所を特定した位置情報であってもよいし、診察ＩＤが単に情報として含まれていてもよい。
【００３２】
二次元コード提示部１２２は、二次元コード生成部１２１が生成した二次元コードを、第一の医師側端末３に提供する。二次元コードは、第一の医師側端末３において表示されるので、医師は、第二の医師側端末４（スマートフォンなどのカメラ付き携帯端末など）を用いて、二次元コードを読み取る。二次元コードを読み取ると、第二の医師側端末４でブラウザが起動する。そして、第二の医師側端末４のカメラで印刷した処方箋を撮影し、処方箋画像データを二次元コードから取得した位置情報に基づいてサーバ１にアップロードすることができる。位置情報は、特定の診療ＩＤ情報に関連付けられているため、アップロードされた画像は、所定の診療ＩＤに紐づけて格納される。すなわち、サーバにおける診察情報記憶部１１４の所定の診察ＩＤの格納データに追加されて格納されてもよいし、別の記憶部において診察ＩＤに紐づけられた状態で格納されてもよい。診察ＩＤに紐づけられて格納されることによって、その後の処理において、特定の診察に係る処方箋画像データを読み出すことができればよい。二次元コードの生成及び提示は、例えば遠隔診療の終了後において、行われることができる。
【００３３】
二次元コード提示部１２２は、生成した二次元コードを、所定条件に基づいて無効化させる。所定条件とは、例えばあらかじめ定めた時間（１０分、３０分など）が経過した場合や、医師が別の患者との次の診察を開始した場合、等である。無効化は、例えば無効になった二次元コードの表示を端末画面上から削除するなどの処理やその他既知の方法であってよい。二次元コードを所定条件において失効させることによって、別の診療で発行した処方箋を誤ってアップロードしてしまうなどのミスを防止することができる。発行した二次元コードが無効化した場合は、必要に応じて新たな二次元コードを生成し、表示する。二次元コードの再発行には、医師の入力操作を必要としてもよい。例えば、第一の医師側端末３に「二次元コード再発行」の旨の入力ボタンを表示させ、入力ボタンが操作された場合に新たな二次元コードを発行することとしてもよい。また、医師の操作に関係なく、失効した後速やかに新たな二次元コードを生成し、表示させてもよい。
【００３４】
画像データ受付部１２３は、第二の医師側端末４から送信された処方箋画像データを受付ける。受け付けた画像データは、診察ＩＤに紐付けて診察情報記憶部１１４などの記憶部に格納する。
【００３５】
画像データ編集部１２４は、受け付けた画像データを、必要に応じて編集する。例えば、画像のゆがみ補正や明るさ補正、トリミングなどの補正を行う。補正の方法は既知の方法を採用することができる。表示部１２８は、受け付けた画像データや、補正後の画像データを診療中の第一の医師端末３及び患者端末２に表示させてもよい。
【００３６】
薬局情報提供部１２５は、患者が薬の調剤を依頼することのできる薬局の選択肢を提供するものである。薬局情報提供部１２５は、薬局情報記憶部１１３に登録されている薬局の中から、所定の条件に基づいて、所定数の薬局を抽出することが望ましい。所定の条件とは、例えば患者の住所と薬局の住所との間の距離若しくは移動距離が短いこと、医療機関の住所と薬局の住所との間の距離若しくは移動距離が短いこと、過去に患者が選択したことがある、あらかじめ患者によって指定されている、などがありえるが、これに限られない。また、条件は１つだけに限らず、複数の条件に基づいてそれぞれ所定数の薬局を抽出してもよい。所定数は、例えば３〜５程度であり、複数の条件に基づいてそれぞれ薬局を抽出する場合は、合計６〜１０程度であってもよい。
【００３７】
また、薬局情報提供部１２５は、所定数の薬局に絞ることなく、登録されたすべての薬局情報を提供してもよい。その場合は、上記の条件に基づいて優先順位づけをし、並び替えて提供することが好ましい。そのほか、地図上に薬局をプロットして表示するなど、患者が薬局を選択するうえで役に立つ情報を適宜追加することができる。
【００３８】
薬局情報は、遠隔診療中の第一の医師側端末３及び／又は患者端末２に提供され、表示される。患者は、提示された複数の薬局情報の中から、処方を依頼する薬局を選択する。患者が患者端末２を介して選択情報を入力してもよいし、口頭で医師に希望を伝え、医師が入力してもよい。
【００３９】
情報共有部１２６は、アップロードされた処方箋画像及び患者情報（以下、処方箋データという）を、選択された薬局に送信するための処理を行う。薬局に送信する患者情報は、患者の氏名、住所、電話番号などの情報である。情報共有部１２６は、これらの患者情報を、患者情報記憶部１１１から読み出す。また、情報共有部１２６は、薬局に送信するための画像を生成してもよい。たとえば、アップロードされた処方箋画像（補正済のものを含む）に、患者情報を記入するための枠を付加したものを一つのデータとして生成し、さらに、当該枠の中に、読み出した患者情報を挿入する処理を行うことによって、患者情報付きの処方箋画像データを生成する。データ形式は、特に問わず、例えばＰＤＦデータとして送付用の処方箋画像データを生成してもよい。
【００４０】
ＦＡＸで処方箋データを送信する場合、情報共有部１２６は、薬局情報記憶部１１３から薬局のＦＡＸ番号を読み出す。ＦＡＸ送信の手段は特に制限はなく、クラウド上のＦＡＸアプリケーションのＡＰＩに送付用処方箋画像データとＦＡＸ番号の情報を流すことによってＦＡＸを送信してもよい。また、ＦＡＸ送信機能を持つデバイスに処方箋データ及びＦＡＸ番号とを含む情報を送信してもよいし、インターネット経由でＦＡＸを送信する場合は所定のアドレスに処方箋データ及びＦＡＸ番号とを含む情報を送信する。また、ＦＡＸ送信サービス事業者へ所定の形式で処方箋データとＦＡＸ番号とを含む情報とを提供し、ＦＡＸを送信させてもよい。その他、メールで送る場合は、薬局のメールアドレスを読み出し、処方箋画像をメール送信してもよい。これにより、医師がアップロードした処方箋の画像データが、患者情報とともに薬局に送信され、薬局は処方箋をもとに薬を準備することができる。
【００４１】
また、情報共有部１２６は、薬局側端末に対し、送信した処方箋に係る共有情報を提供する。共有情報は、例えば、患者情報（氏名、電話番号、性別、住所、メールアドレス、保険証番号、保険証画像など）、医療機関情報（名称、住所、電話番号、担当医師など）、診察情報（診察日時、疾患名など）であるが、これに限られない。さらに、医師からのコメントなどを追加してもよい。また、処方箋画像データを送信してもよい。情報共有部は、これらの情報を各記憶部から読み出して共有情報を生成することができる。
【００４２】
配送依頼部１２７は、上記のように処方箋を受け取った薬局から、薬を患者に郵送する場合に、薬の配送を配送業者などに依頼するための処理を行う。配送依頼部１２７は、配送依頼情報を生成する。配送依頼情報は、少なくとも配送先情報を含む。配送先情報は、配送先住所と、受取人氏名、電話番号、受取希望日時などの情報を含む。配送先住所情報として、患者情報記憶部１１１から郵送先住所情報を取得する。郵送先住所は患者住所でもよいし、患者の住所とは別に患者があらかじめ指定した郵送希望住所であってもよい。患者情報記憶部１１１に双方が登録されている場合は、郵送希望住所を郵送先住所とする。また、受取人氏名は、患者本人であってもよいし、あらかじめ指定されている場合は別の受取人の氏名を受取人氏名とする。
【００４３】
また、薬局への集荷依頼も行う場合は、配送依頼情報に集荷情報も含める。集荷情報は、集荷先住所、集荷先名称、集荷希望日時などの情報を含む。集荷先住所及び集荷先名称は、患者が指定した薬局の住所及び名称とする。集荷希望日時は、薬局側端末５により入力されてもよいし、あらかじめ薬局ごとに登録された日時としてもよく、または処方箋発行日時から所定期間経過後の日時を指定してもよい。また、配送依頼情報には、荷物の大きさ又は重さ、若しくはその双方の情報を含んでもよい。荷物の大きさや重さは、処方した薬の種類及び分量から自動で推定してもよい。その場合は、各薬の種類ごとに、あらかじめ単位当たり重量と体積を登録したデータベースを用意しておき、処方された個数をもとに総重量、総体積を推定すればよい。配送依頼部１２７は、生成した配送依頼情報を、所定の手段によって配送業者に提供することによって、配送依頼処理を行う。配送業者への依頼の方法は、特に制限されないが、配送業者の依頼受付アプリケーションのＡＰＩに連携させることによって依頼してもよい。配送依頼は、薬剤師による服薬指導が完了したタイミングやその他薬局側端末で配送（集荷）を依頼する旨の入力操作があった時であってよいし、その他、医師による診察が行われている最中や、診察が完了時したタイミングであって、医師側端末に配送を依頼する旨の入力操作があったときに実施されてもよい。
【００４４】
表示部１２８は、患者端末２及び第一の医師側端末３、第二の医師側端末４、薬局側端末５において、所定の画像を表示させる。患者端末２には、患者用画面を生成し、表示させる。第一の医師側端末３には、医者用画面を生成し、薬局側端末５には、薬局用画面を表示させる。
【００４５】
本発明の実施の形態におけるサーバ１は、その他、遠隔診療システムを実行するための処理部を適宜備えることができる。例えば、決済部１２９、予約管理部１３０、問診部１３１などを備えることができるが、これに限られない。
【００４６】
決済部１２９は、患者に診察料や薬代金、送料などを請求する処理を行う。決済部１２９は、診察内容や処方内容から所定の方法により診察料や薬代金、送料を計算し、患者に請求する。請求処理方法は、公知の手法を用いるものとする。薬を配送する場合、薬代及び配送料の請求を患者に対して行う。その他、決済部１２９は、決済に必要な処理を行うよう機能を有していてよい。決済部１２９は、患者から病院へ、若しくは患者から薬局への直接の支払を決済してもよいし、遠隔診療支援を行う第三者に仲介させてもよい。すなわち、患者から第三者への各種料金の支払いを請求する一方で、当該第三者が病院又は薬局に対して代金の支払いを行うように決済処理を行うようにしてもよい。
【００４７】
予約管理部１３０は、遠隔診療の予約を管理する。例えば、医師ごとに既予約時間および予約可能時間を登録するスケジュールデータを管理し、所定の記憶部に記憶する。患者端末２において、患者が選択した医師のスケジュールを表示し、希望日時で予約依頼を入力することができる。若しくは、患者が入力した希望日時で予約可能な医師の一覧を表示し、医師の選択を受付けてもよい。予約を受け付けると、医師のスケジュールデータの更新を行う。また、予約管理部１３０は、薬局側端末５と患者端末２との間の遠隔服薬指導の予約を管理することもできる。その他、予約管理部１３０は、予約管理に必要な処理を行うよう機能を有していてよい。
【００４８】
問診部１３１は、患者に対して事前の問診を行う。予約をした患者端末２に対し、診療日時の所定時間前において、所定の問診事項を送付する。問診事項は、医師や医療機関ごとにあらかじめ決められた質問事項であってもよく、予約時に患者が入力した情報に基づいて質問事項が編集されてもよい。患者端末２から問診事項に対する回答の入力を受け付け、回答情報を所定の記憶部に記憶する。問診情報は、診療時に医師側端末に提供されてもよい。その他、問診部１３１は、問診に必要な処理を行うよう機能を有していてよい。
【００４９】
以下に、サーバ１により実行される処理について説明する。図８は、処理フローを示す図である。各ステップは、特に制限のない場合、順番が入れ替わる場合があり得る。
【００５０】
まず、患者が患者端末２にログインし、医師が第一の医師側端末３にログインし、遠隔診療を開始する旨の所定の入力が行われると、通信部１２０は両端末の間での通信を開始する（Ｓ１０１）。患者端末２と第一の医師側端末３との間では、テキストデータ、画像データ、動画データ等を互いに同期させて共有し、医師による診察を行うことができる
（Ｓ１０２）。なお、診察中、医師は、本遠隔診療システムとは別の電子カルテシステムにおいてカルテ情報の入力を行う。
【００５１】
診察により、薬を処方する場合（Ｓ１０３＝Ｙｅｓ）、Ｓ１０４の処理に進む。薬の処方がない場合（Ｓ１０３＝Ｎｏ）、診察が完了するとともに処理を終了する。なお、医師は、薬を処方する場合、本遠隔診療システムとは別の電子カルテシステムにおいて、処方情報を入力し、処方箋を作成し、紙に印刷する。
【００５２】
薬の処方がある場合、薬局情報提供部１２５は、薬局情報記憶部１１３から薬局情報を読み出す。好ましくは、患者住所若しくは医療機関住所との間での距離又は移動距離が短い薬局を所定数選択する。また、患者が過去に選択した薬局を優先して選択してもよい。薬局情報提供部１２５は、選択した薬局情報を患者端末２及び第一の医師側端末３に表示する。図９は、患者端末２及び第一の医師側端末３に表示される薬局情報の提示画面の一例である。ここでは、医療機関から近い薬局の上位３つ、及び患者住所から近い薬局の上位３つの名称、住所、ＦＡＸ番号などをそれぞれ表示している。また、希望する薬局が選択肢にない場合に薬局を検索できる検索ボックスを表示させてもよい。薬局の提示方法はこれに限られない。
【００５３】
患者は提示された複数の薬局の中から、処方を依頼する薬局を選択する（Ｓ１０５）。選択情報入力は、医師が患者から口頭で聞いて行ってもよいし、患者自身が入力してもよい。図９の例においては、ラジオボタンで選択を受け付けるようになっている。
【００５４】
次に、二次元コード生成部１２１は、ＵＲＬなどのサーバ１の位置情報を含む情報を二次元コード化する（Ｓ１０６）。位置情報は、現在通信が行われている診察中の診療ＩＤに関連づけられた情報であると好ましい。二次元コード提示部１２２は、生成された二次元コードを、第一の医師側端末３に表示する（Ｓ１０７）。図１０は、第一の医師側端末３に表示される二次元コードの表示画面の一例である。第一の医師側端末３にすでに処方箋画像データが格納されている場合は、左側の「スキャンした処方箋を選択」により、ファイルを選択してアップロードしてもよい。第二の医師側端末４により画像の撮影を行う場合は、右側の「スマートフォンで処方箋を撮影」により、二次元コードを利用して画像を撮影・アップすることができる。二次元コードは、有効期限とともに表示することができる。例えば、１０分で無効化される設定の場合、表示してからの経過時間、若しくは有効期限の残り時間を表示することができる。
【００５５】
二次元コードは、所定の条件を満たした場合に無効化されることが望ましい。例えば、所定時間経過により無効化する場合、二次元コード提示部１２２は二次元コードを表示してから経過した時間を計測する（Ｓ１０８）。そして、所定時間経過した場合（Ｓ１０８＝Ｙｅｓ）、二次元コードを無効化する（Ｓ１０９）。二次元コードが無効化された場合、二次元コード生成部１２１は、必要に応じて新たな二次元コードを生成する（Ｓ１０６に戻る）。
【００５６】
医師は、遠隔診療を行っている第一の医師側端末３とは別の第二の医師側端末４に搭載された二次元コード読取装置によって、第一の医師側端末３に表示された二次元コードを読み取る。図１１は、二次元コードを読み取った後に第二の医師側端末４に表示される画面の一例である。二次元コードを読み取ると、第二の医師側端末４のカメラが起動する。所定の操作（例えば、撮影ボタンをタップする等）によって、処方箋の画像を撮影する。送信ボタンをタップすることにより、二次元コードに含まれていたサーバ１の位置情報に基づいて、画像をアップロードすることができる。また、処方箋画像は複数枚撮影し、まとめてアップロードすることもできる。その場合は、１枚目の処方箋画像を撮影したのちに、「＋処方せん写真を追加」ボタンをタップすると、再びカメラが起動し、処方箋を撮影することができる。撮影済みの処方箋画像のサムネイルを画面上に表示させてもよい。
【００５７】
画像受付部は、第二の医師側端末４から画像データを受け付ける（Ｓ１１０）。受け付けた画像データは、診察情報記憶部１１４において所定の診療ＩＤに紐づけて格納される。また、遠隔診療中の第一の医師側端末３及び患者端末２に、アップロードされた画像を表示させることができる。図１２は、第一の医師側端末３及び患者端末２の表示例である。ファイル名、アップロード日時などの情報とともに、処方箋画像を表示させる。これにより、電子カルテシステムで作成された処方箋を、患者に見せて確認してもらうことができる。
【００５８】
次に、情報共有部１２６は、処方箋画像データ及び患者情報を薬局に送付する（Ｓ１１１）。Ｓ１０５で選択された薬局のＦＡＸ番号を薬局情報記憶部１１３から読み出し、ＦＡＸ番号と処方箋画像、患者情報とを含む情報をＦＡＸ送信アプリケーションのＡＰＩに提供するか、またはＦＡＸ送信機能のあるデバイスに送信するなどしてＦＡＸを送信するための処理を行う。また、情報共有部１２６は、患者情報、医療機関情報、診察情報等の共有情報を生成し、薬局側端末５に提供する。薬局は、ＦＡＸで受け取った処方箋画像と受け取った共有情報をもとに、薬の準備をすることができる。薬局への処方箋データの送付は、医師が第一の医師側端末３において、処方箋データを送付する旨の入力指示をした場合（例えば、「送付」ボタンをクリックした場合）に行われてもよく、診察中若しくは診察後であってもよい。また、遠隔診療が終了したことをもって自動的に送付が行われてもよい。
【００５９】
本発明に係るサーバは、さらに、薬剤師による服薬指導・フォローアップをオンラインで行うための機能を備えてもよい。すなわち、患者端末２と薬局側端末５との間でテレビ電話などの通信を接続し、薬剤師が患者に服薬指導やフォローアップを行うことができるものである。通信を行うにあたっては、遠隔診療と同じく、予約管理部１３０によって服薬指導の予約を患者から受け付けてもよい。
【００６０】
Ｓ１１２以降は、服薬指導を行う場合のフローである。図１３は、共有情報が送信されたときの薬局側端末５の画面例である。画面には、共有情報（患者情報、医療機関情報、診察情報）などが表示される。また、図１４は、薬局側端末５において薬局が受け付けた処方箋の受付一覧を表示する画面例である。例えば受付順に、患者氏名などの情報が表示される。薬局は、受け付けた順番に、若しくは予約に基づいて患者との間で服薬指導を行えばよい。薬局に処方箋画像及びその他共有情報が送信された後、通信部１２０は、当該薬局側端末５と患者側端末２との間で通信を接続することができる（Ｓ１１２）。そして、薬剤師が薬局側端末５を介して、患者に対して服薬指導を行う（Ｓ１１３）。
【００６１】
服薬指導が終わると、決済を行う。図１５は、薬局側端末５に表示される決済画面の一例である。配送手配の有無を入力させるとともに請求金額を表示する。配送依頼がある場合は、Ｓ１１４に進む。
【００６２】
配送依頼部１２７は、患者が薬の郵送を希望する場合に、薬を薬局から患者の指定住所に配送するための配送依頼を行う（Ｓ１１４）。配送依頼及び集荷依頼に必要な情報を患者情報記憶部１１１若しくは薬局情報記憶部１１３などから読み出し、配送依頼情報を生成し、所定の配送業者に提供する。薬局から患者のもとへ薬が配送され、患者は自宅から出ることなく、診察を受け、さらに薬を受け取ることができるようになる。
【００６３】
本発明によれば、医師は印刷した処方箋を簡単な操作でサーバにアップロードすることができる。特に、遠隔診療において通信を行う第一の医師側端末３がカメラ機能を有していないデスクトップコンピュータなどの端末である場合に、手持ちのスマートフォン（第二の医師側端末４）により二次元コードを読み取ることによって、簡単にサーバにアップロードすることができる。また、薬局を選択するだけで、アップロードした処方箋と患者情報とを薬局にＦＡＸなどで送信することができる。処方箋の原本は、追って医療機関から薬局へ郵送されてもよいし、後日、患者が来院した際に手渡ししてもよい。また、配送依頼までを自動で行うことができるため、患者が病院にも薬局にも足を運ぶことなく、薬を受け取ることが可能である。
【００６４】
上述した実施の形態は、本発明の理解を容易にするための例示に過ぎず、本発明を限定して解釈するためのものではない。本発明は、その趣旨を逸脱することなく、変更、改良することができると共に、本発明にはその均等物が含まれることは言うまでもない。
【符号の説明】
【００６５】
１        サーバ１
２        患者端末
３        第一の医師側端末
４        第二の医師側端末
５        薬局側端末
【要約】
【課題】遠隔診療を支援するサーバを提供すること。
【解決手段】本発明は遠隔診療を支援するサーバであって、患者端末と第一の医師側端末との間で通信を行う通信部と、前記サーバに処方箋画像データをアップロードするための位置情報を二次元コード化する二次元コード生成部と、前記二次元コードを前記第一の医師側端末に提示する二次元コード提示部とを備える、サーバである。本発明によれば、よりスムーズに遠隔診療を行うことができる。
【選択図】図１０【図１】
0006781491.tif 000002
【図２】
0006781491.tif 000003
【図３】
0006781491.tif 000004
【図４】
0006781491.tif 000005
【図５】
0006781491.tif 000006
【図６】
0006781491.tif 000007
【図７】
0006781491.tif 000008
【図８】
0006781491.tif 000009
【図９】
0006781491.tif 000010
【図１０】
0006781491.tif 000011
【図１１】
0006781491.tif 000012
【図１２】
0006781491.tif 000013
【図１３】
0006781491.tif 000014
【図１４】
0006781491.tif 000015
【図１５】
0006781491.tif 000016